(57)【特許請求の範囲】
【請求項１】
成膜材料の通過を許容する開口パターンを有するマスク本体と、このマスク本体を保持する保持フレームとから成り、前記開口パターンを介して前記成膜材料が付着せしめられる基板が積層される成膜用マスクであって、前記保持フレームは、前記マスク本体の４辺のうち対向する一対の辺部に沿って夫々配設されこの一対の辺部を夫々保持する一対の保持部を備え、この一対の保持部によってのみ前記マスク本体を保持するように構成し、前記一対の保持部によって保持される前記一対の辺部間で前記マスク本体が自重によって撓み且つこの一対の辺部の対向方向で前記撓み量が変化するようにこの一対の辺部を前記一対の保持部に固定したことを特徴とする成膜用マスク。
【請求項２】
前記マスク本体の前記一対の辺部を、このマスク本体が自重によって自然に撓んだ状態で前記一対の保持部に夫々固定したことを特徴とする請求項１記載の成膜用マスク。
【請求項３】
前記一対の保持部を、この保持部によって保持される前記一対の辺部に沿って長さを有する長尺部材として、この一対の辺部を前記一対の保持部に夫々一様に固定し得るように構成したことを特徴とする請求項１，２のいずれか１項に記載の成膜用マスク。
【請求項４】
前記マスク本体にして前記基板表面と対向する裏面とは反対側の表面側に、前記マスク本体の撓みを補正する撓み補正体を設けたことを特徴とする請求項１〜３のいずれか１項に記載の成膜用マスク。
【請求項５】
前記撓み補正体は、棒体であり、この棒体を前記保持部に固定される一対の辺部と略平行に設けたことを特徴とする請求項４記載の成膜用マスク。
【請求項６】
前記撓み補正体は、前記マスク本体にして撓みの最下点部位置に設けたことを特徴とする請求項４，５のいずれか１項に記載の成膜用マスク。
【請求項７】
請求項１〜６のいずれか１項に記載の成膜用マスクを基板に密着させるマスク密着方法であって、前記成膜用マスク上に基板を積層し、この基板上にシート状の重り部材を積層して、この重り部材により基板を強制的に撓ませて前記成膜用マスクを基板表面に密着せしめることを特徴とするマスク密着方法。
【請求項８】
前記重り部材としてタングステンシートを採用したことを特徴とする請求項７記載のマスク密着方法。
【請求項９】
前記基板として、ガラス、プラスチック若しくは金属製のものを採用したことを特徴とする請求項７，８のいずれか１項に記載のマスク密着方法。
【発明の詳細な説明】
【技術分野】
【０００１】
本発明は、成膜用マスク及びマスク密着方法に関するものである。
【背景技術】
【０００２】
近年、例えば特許文献１に開示されるように、成膜材料の通過を許容する開口パターンを有するマスク本体と、このマスク本体が保持される保持フレームとから成る成膜用マスクとして、図１に図示したような、マスク本体21の４辺を枠状フレーム22で囲み、この枠状フレーム22により４辺からテンションをかけずに若しくは極弱いテンションをかけながらマスク本体21を保持する所謂４辺固定ソフトテンションマスクが提案されている。
【０００３】
この４辺固定ソフトテンションマスクは、温度変化が小さく且つ軽量であるという利点を有しており、温度変化が小さいため蒸着装置による蒸着中にパターンずれが起こり難く、また、軽いため搬送系のコストを抑えることが可能である。
【０００４】
【特許文献１】特開２００７−１３８２５６号公報
【発明の開示】
【発明が解決しようとする課題】
【０００５】
しかしながら、上述したような４辺固定ソフトテンションマスクは、基板との密着性が悪く、例えば蒸着等で成膜を行う際、マスク本体の開口パターン通りに成膜を行えず、基板上の成膜パターンがボケてしまうという問題点がある。
【０００６】
また、例えば図２に図示したように、短冊状のマスク本体31が撓まないように２辺からテンション（張力）をかけた状態で保持フレーム32に保持する構成も提案されているが、このような構成では、図３に図示したようにテンションによりマスク本体31の中央部33が歪み、やはり基板との密着性が悪く、成膜を良好に行い難い。
【０００７】
本発明は、上述のような問題点を解決したものであり、マスク本体の対向する２辺のみをマスク本体が自重によって撓み可能な状態で保持フレームの保持部に固定することで、マスク本体の撓みのムラを解消して基板と良好に密着可能となり、温度変化が小さく且つ軽量であるという利点をそのままに、基板と良好に密着して成膜パターン精度の良い成膜を可能とした極めて実用性に秀れた成膜用マスク及びマスク密着方法を提供するものである。
【課題を解決するための手段】
【０００８】
添付図面を参照して本発明の要旨を説明する。
【０００９】
成膜材料の通過を許容する開口パターンを有するマスク本体１と、このマスク本体１を保持する保持フレーム２とから成り、前記開口パターンを介して前記成膜材料が付着せしめられる基板６が積層される成膜用マスクであって、前記保持フレーム２は、前記マスク本体１の４辺のうち対向する一対の辺部３に沿って夫々配設されこの一対の辺部３を夫々保持する一対の保持部４を備え、この一対の保持部４によってのみ前記マスク本体１を保持するように構成し、前記一対の保持部４によって保持される前記一対の辺部３間で前記マスク本体１が自重によって撓み且つこの一対の辺部３の対向方向で前記撓み量が変化するようにこの一対の辺部３を前記一対の保持部４に固定したことを特徴とする成膜用マスクに係るものである。
【００１０】
また、前記マスク本体１の前記一対の辺部３を、このマスク本体１が自重によって自然に撓んだ状態で前記一対の保持部４に夫々固定したことを特徴とする請求項１記載の成膜用マスクに係るものである。
【００１１】
また、前記一対の保持部４を、この保持部４によって保持される前記一対の辺部３に沿って長さを有する長尺部材として、この一対の辺部３を前記一対の保持部４に夫々一様に固定し得るように構成したことを特徴とする請求項１，２のいずれか１項に記載の成膜用マスクに係るものである。
【００１２】
また、前記マスク本体１にして前記基板６表面と対向する裏面とは反対側の表面側に、前記マスク本体１の撓みを補正する撓み補正体を設けたことを特徴とする請求項１〜３のいずれか１項に記載の成膜用マスクに係るものである。
【００１３】
また、前記撓み補正体は、棒体７であり、この棒体７を前記保持部４に固定される一対の辺部３と略平行に設けたことを特徴とする請求項４記載の成膜用マスクに係るものである。
【００１４】
また、前記撓み補正体は、前記マスク本体１にして撓みの最下点部位置に設けたことを特徴とする請求項４，５のいずれか１項に記載の成膜用マスクに係るものである。
【００１５】
また、請求項１〜６のいずれか１項に記載の成膜用マスクを基板に密着させるマスク密着方法であって、前記成膜用マスク５上に基板６を積層し、この基板６上にシート状の重り部材８を積層して、この重り部材８により基板６を強制的に撓ませて前記成膜用マスク５を基板表面に密着せしめることを特徴とするマスク密着方法に係るものである。
【００１６】
また、前記重り部材８としてタングステンシートを採用したことを特徴とする請求項７記載のマスク密着方法に係るものである。
【００１７】
また、前記基板６として、ガラス、プラスチック若しくは金属製のものを採用したことを特徴とする請求項７，８のいずれか１項に記載のマスク密着方法に係るものである。
【発明の効果】
【００１８】
本発明は上述のように構成したから、マスク本体の撓みのムラを解消して基板と良好に密着可能となり、温度変化が小さく且つ軽量であるという利点をそのままに、基板と良好に密着して成膜パターン精度の良い成膜を可能とした極めて実用性に秀れた成膜用マスク及びマスク密着方法となる。
【発明を実施するための最良の形態】
【００１９】
好適と考える本発明の実施形態（発明をどのように実施するか）を、図面に基づいて本発明の作用を示して簡単に説明する。
【００２０】
一対の辺部３が夫々一対の保持部４に固定されて、保持フレーム２に保持されるマスク本体１は自重により撓んでいるため、例えば成膜を行うために基板６（及びマグネット等）を積層せしめるとこの基板６とマスク本体１との撓みが追従して両者が良好に密着する。
【００２１】
例えば４辺固定ソフトテンションマスクは、テンションがかかっていない（若しくは非常に小さい）ため、一見、基板の撓みに追従して撓み湾曲し良好に密着するように思えるが、４辺を固定することで縦方向及び横方向の２方向で撓み量が変化することになり、双方の撓みが干渉してマスク本体の撓みにムラができ、マスク本体が歪んでしまい、また、この歪みが複雑であるため、良好な密着性が得られない。
【００２２】
この点、本発明は、対向する一対の辺部３（２辺）を一対の保持部４に固定する構成であり、マスク本体１は、この一対の辺部３間でマスク本体１が自重によって撓み且つこの一対の辺部３の対向方向（１方向）で前記撓み量が変化するだけで、撓みが干渉しないためムラができ難く、従って、マスク本体１の歪みが単純で且つ小さくなり、良好に基板６の撓みに追従して良好に密着することが可能となる。
【００２３】
即ち、より自然な撓みが実現できるため、基板６が大型化し撓みが大きくなってもマスク本体１は柔軟に基板６の撓みに追従して密着することが可能となる。従って、基板６等と積層せしめて成膜を行う際、基板６と良好に密着することで基板６上の成膜パターンがボケずに開口パターンの通りに成膜を行うことが可能となる。
【００２４】
また、マスク本体１が撓まないようにある程度のテンションを維持する場合に比し保持部４に必要な強度を小さくでき、それだけ保持フレーム２を薄く軽量とすることができる。従って、搬送等が容易となり、それだけ作業性が向上する。
【００２５】
特に、マスク本体１の歪みによる密着性の低下や保持フレーム２の肉厚化や重量化は、マスク（基板）の大型化に従い顕著となるが、本発明によれば大型のマスクであっても肉薄・軽量で且つ基板と良好に密着可能となる。
【００２６】
また、例えば、マスク本体１にして基板６表面に対向する裏面とは反対側の表面側に、保持部４に固定される一対の辺部３と略平行な棒体７を設けて、マスク本体１の撓みを補正した場合には、マスク本体１を一様に撓ませてマスク本体１の開口パターンが形成された領域とそれ以外の領域との撓み量の差を解消することが可能となり、より一層基板６との密着性が向上する。特に、棒体７をマスク本体１にして撓みの最下点部位置に設けると良好に撓み量の差を解消できる。
【００２７】
以上のような成膜用マスク５は、例えば成膜用マスク５上に基板６を積層し、この基板６上にシート状の重り部材８を積層して、この重り部材８により基板６を強制的に撓ませることで良好に基板表面に密着せしめることができる。この際、重り部材８として柔軟性を有し且つ重量であるタングステンシートを採用すると、一層基板６を良好に撓ませてマスク本体と密着させることが可能となる。
【実施例】
【００２８】
本発明の具体的な実施例について図４〜７に基づいて説明する。
【００２９】
本実施例は、図４，５に図示したように、成膜材料の通過を許容する開口パターンを有するマスク本体１と、このマスク本体１を保持する保持フレーム２とから成り、前記開口パターンを介して前記成膜材料が付着せしめられる基板６が積層される成膜用マスクであって、前記保持フレーム２は、前記マスク本体１の４辺のうち対向する一対の辺部３に沿って夫々配設されこの一対の辺部３を夫々保持する一対の保持部４を備え、この一対の保持部４によってのみ前記マスク本体１を保持するように構成し、前記一対の保持部４によって保持される前記一対の辺部３間で前記マスク本体１が自重によって撓み且つこの一対の辺部３の対向方向で前記撓み量が変化するようにこの一対の辺部３を前記一対の保持部４に固定したものである。
【００３０】
各部を具体的に説明する。
【００３１】
マスク本体１は、インバー材などの金属材料を素材とする一般的な方形状のメタルマスクである。このマスク本体１は、開口パターン（図示省略）と開口パターン以外のフレーム部分（図示省略）とで形成され成膜装置内の成膜材料の通過領域に配設される成膜領域と、この成膜領域の外側（外周）に設けられる非成膜領域とを有している。
【００３２】
具体的には、成膜領域の左右に夫々非成膜領域となる耳部９が設けられ、この耳部９が保持フレーム２の保持部４に固定される。尚、耳部９は、マスク本体１の成膜領域の長辺側・短辺側のいずれの側に連設しても良い。
【００３３】
保持フレーム２はインバー材などの金属材料から成る枠体である。本実施例においては、この枠体の対向する一対の対向辺部10を保持部４に設定している。また、保持部以外の他の一対の対向辺部11は、マスク本体１の（保持部４により保持されない）他の一対の辺部12と接触しないように配設される。この対向辺部10と対向辺部11とは角部を介して連設されている。
【００３４】
この保持フレーム２は、マスク本体１の成膜領域にかからないように開口部が少なくともマスク本体１の成膜領域より大きくなるようにし、保持部４となる一対の対向辺部10にマスク本体１の耳部９が固定されるように構成している。
【００３５】
本実施例においては、マスク本体１の一対の辺部３を、このマスク本体１に張力をかけずに且つマスク本体１が自重によって自然に撓むように保持フレーム２の一対の保持部４に固定している。
【００３６】
具体的には、マスク本体１が保持部４に未だ固定されておらず略平行な状態における自然最大撓み量Ｂを基準に、マスク本体１を略平行に支持した状態で左右の耳部９の一側を一方の保持部４に固定し、他側の固定位置が一側の固定位置に近過ぎて強制的に凹湾曲せず且つ遠過ぎて引っ張られないように（中央部が歪まないように）、この他側の固定位置を適宜設定調整して他の保持部４に固定する。
【００３７】
このマスク本体１の一対の辺部３（耳部９）と保持部４（対向辺部10）とは、接着剤により強固に接着している。
【００３８】
具体的には、枠体の一対の対向辺部10は、マスク本体１の耳部９の全長にわたって接触し、このマスク本体１の耳部９の下面と枠体の対向辺部10の上面とを長さ方向の略全域にわたって略一様に接着剤により固定している。
【００３９】
尚、耳部９の下面と対向辺部10の上面とは、全面接着しても良いし、一部のみを接着しても良い。また、本実施例においては、耳部９と保持部４とは長さ方向の略全域に渡って略一様に接着しているが、所定間隔をおいて接着しても良い（多数の接着部分を間隔をおいて設けても良い。）。また、接着剤による接着に限らず、溶接等の他の方法によりマスク本体１の辺部３を保持部４に固定しても良い。
【００４０】
また、マスク本体１に張力（引張力及び押圧力）が作用しないように、即ちテンションがかからない状態で、前記一対の辺部３を保持部４に固定しているため、マスク本体１は、前記一対の辺部３（耳部９）間で自重によって自然に湾曲円弧状に撓むことになり、一対の辺部３の対向方向で撓み量が変化する。従って、本実施例においては一対の辺部３から夫々等距離の位置が撓み最下点位置となり最も撓み量が大きくなる。
【００４１】
尚、撓み量Ｂは図面では説明のため誇張して描いているが、実際は非常に小さく、厚さ数ｍｍのマスク本体１に対して通常数十〜数百μｍ程度である。また、保持フレーム２の厚さも撓み量Ｂに準じて誇張して描いているが、実際は数ｍｍ程度である。
【００４２】
また、本実施例においては、マスク本体１にして前記基板表面に密着する裏面とは反対側の表面側に、前記保持部４に固定される一対の辺部３と略平行な棒体７を設けて、前記マスク本体１の撓みを補正している。
【００４３】
具体的には、前記棒体７は、保持フレーム２同様インバー材等の金属材料製であり、前記マスク本体１にして撓みの最下点部位置（撓み量が最大となる位置）に１本設けている。
【００４４】
これは、マスク本体１のうち、このマスク本体１の耳部９と平行な方向において、マスク本体１の撓みにムラができてしまうため、自然な撓みを阻害しない範囲である程度の重量物により撓み量が小さい部分を引き伸ばして撓みのムラを補正するためである。この棒体７により、マスク本体１と基板表面との密着性は一層良好となる。即ち、本実施例は、一対の辺部３の対向方向でのみ撓み量が変化し、平行方向では撓み量が変化しないように構成している。
【００４５】
尚、本実施例においては、マスク本体１の撓み最下点部位置に１本の棒体７を配設しているが、最下点部に限らず、他の部位に配設しても良いし、複数本配設しても良い。また、棒体７によりマスク本体１の撓み形状を湾曲円弧形状でなく波状等の他の形状に変形させても良い。また、棒体７は、前記保持部４に固定される一対の辺部３の対向方向に設けても良い。さらに、上記実施例においては、撓み補正体の具体例として棒体７を挙げたが、これに限らず、板状やメッシュ状であっても良い。ただし、成膜を阻害しないため、少なくとも開口パターンを塞がないようにフレーム部分に設ける必要がある。
【００４６】
また、本実施例においては、テンションをかけずにマスク本体１を保持部４に固定しているが、わずかにテンションをかけて固定しても良い（所謂ソフトテンションマスクとしても良い。）。
【００４７】
本実施例に係る成膜用マスク５は、例えば、成膜装置のマスクホルダ13上に設置して、この成膜用マスク５上にガラス基板６を積層し、このガラス基板６上に柔軟性を有するシート状の重り部材８を積層して、この重り部材８によりガラス基板６を強制的に撓ませて前記成膜用マスク５を基板表面に密着せしめ、更に、マスク本体１を基板側に磁気的に吸引引き寄せ可能なマグネット14を積層してこのマグネット14により更に成膜用マスク５とガラス基板６とを密着せしめ（図６参照）、下方から蒸着、ＣＶＤ若しくはスパッタ等の成膜手段により成膜材料を飛ばしてガラス基板６上に成膜を行うために用いる。
【００４８】
重り部材８としては、柔軟性を有し且つある程度重量のある部材が好ましい。具体的には、タングステンとエラストマーとから成るタングステンシートが好適である。タングステンシートを用いた場合、このタングステンシートにより基板６がこのタングステンシートの湾曲に伴い湾曲せしめられ、マスク本体１に押し付けられてこのマスク本体１と良好に密着する（図７（ｂ）参照）。
【００４９】
この点、例えばアルミニウムやガラス等の固い物質を重り部材８’としても、図７（ａ）に図示したように良好に撓まずに基板６’を撓ませることができず、基板６’と成膜用マスク５’との密着性が不良となる。尚、重り部材８としてタングステンシートに限らず、フッ素ゴムやシリコンシートを用いることも可能である。
【００５０】
また、マグネット14としてはラバーマグネットを用いると、成膜用マスク５、基板６、重り部材８、マグネット14が夫々良好に撓んで密着することになり、好適である。
【００５１】
また、基板６としては、ガラス基板６に限らず、プラスチック若しくは金属（箔）等の他の基板であっても同様に良好に成膜できる。
【００５２】
本実施例は上述のように構成したから、一対の辺部３が夫々一対の保持部４に固定されて、保持フレーム２に保持されるマスク本体１は自重により撓んでいるため、例えば成膜を行うために基板６（及びマグネット等）を積層せしめるとこの基板６とマスク本体１との撓みが追従して両者が良好に密着する。
【００５３】
例えば４辺固定ソフトテンションマスクは、テンションがかかっていない（若しくは非常に小さい）ため、一見、基板の撓みに追従して撓み湾曲し良好に密着するように思えるが、４辺を固定することで縦方向及び横方向の２方向で撓み量が変化することになり、双方の撓みが干渉してマスク本体の撓みにムラができ、マスク本体が歪んでしまい、また、この歪みが複雑であるため、良好な密着性が得られない。
【００５４】
この点、本実施例は、対向する一対の辺部３（２辺）を一対の保持部４に固定する構成であり、マスク本体１は、この一対の辺部３間でマスク本体１が自重によって円弧状に撓み且つこの一対の辺部３の対向方向（１方向）で前記撓み量が変化するだけで、撓みが干渉しないためムラができ難く、従って、マスク本体１の歪みが単純で且つ小さくなり、良好に基板６の撓みに追従して良好に密着することが可能となる。
【００５５】
即ち、より自然な撓みが実現できるため、基板６が大型化し撓みが大きくなってもマスク本体１は柔軟に基板６の撓みに追従して密着することが可能となる。従って、基板６等と積層せしめて成膜を行う際、基板６と良好に密着することで基板６上の成膜パターンがボケずに開口パターンの通りに成膜を行うことが可能となる。
【００５６】
また、マスク本体１が撓まないようにある程度のテンションを維持する場合に比し保持部４に必要な強度を小さくでき、それだけ保持フレーム２を薄く軽量とすることができる。従って、搬送等が容易となり、それだけ作業性が向上する。
【００５７】
特に、マスク本体１の歪みによる密着性の低下や保持フレーム２の肉厚化や重量化は、マスク（基板）の大型化に従い顕著となるが、本実施例によれば大型のマスクであっても肉薄・軽量で且つ基板と良好に密着可能となる。
【００５８】
また、マスク本体１にして基板表面に密着する裏面とは反対側の表面側に、保持部４に固定される一対の辺部３と略平行な棒体７を設けて、マスク本体１の撓みを補正したから、マスク本体１を一様に撓ませてマスク本体１の開口パターンが形成された領域とそれ以外の領域との撓み量の差を解消することが可能となり、より一層基板６との密着性が向上する。特に、棒体７をマスク本体１にして撓みの最下点部位置に設けたから、一層良好に撓み量の差を解消できる。
【００５９】
よって、本実施例は、マスク本体の撓みのムラを解消して基板と良好に密着可能となり、温度変化が小さく且つ軽量であるという利点をそのままに、基板と良好に密着して基板上の蒸着パターンがボケずに開口パターン通りに良好に成膜可能とした極めて実用性に秀れたものとなる。
【００６０】
本発明は、本実施例に限られるものではなく、各構成要件の具体的構成は適宜設計し得るものである。
【図面の簡単な説明】
【００６１】
【図１】従来例の概略説明図である。
【図２】従来例の概略説明図である。
【図３】図２の要部の拡大概略説明断面図である。
【図４】本実施例のマスク本体の概略説明斜視図である。
【図５】本実施例の概略説明斜視図である。
【図６】本実施例の使用状態を示す概略説明断面図である。
【図７】重り部材の相違による積層状態の相違を説明する概略説明断面図である。
【符号の説明】
【００６２】
１  マスク本体
２  保持フレーム
３  （一対の）辺部
４  保持部
５  成膜用マスク
６  基板
７  棒体
８  重り部材
【図１】
0005258278.tif 000002
【図２】
0005258278.tif 000003
【図３】
0005258278.tif 000004
【図４】
0005258278.tif 000005
【図５】
0005258278.tif 000006
【図６】
0005258278.tif 000007
【図７】
0005258278.tif 000008